(57)【要約】【課題】厚みを厚くならないようにしながら、筐体表面に設ける放音孔をデザイン上要求される位置に配置する。【解決手段】スピーカ４１，４２を搭載した携帯電話機１（携帯通信機器、携帯電子機器）において、スピーカ４１，４２を搭載するための容器状フレーム３１と、このフレーム３１から外方へ延び、放音の方向を制御するダクト３２とを設ける。このダクト３２を第２の筐体３に設けた筐体側放音孔１７に向かって延ばす。【選択図】図４
2007201789.tif 000002
【特許請求の範囲】
【請求項１】
スピーカを搭載した携帯電子機器において、
上記スピーカを搭載するための容器状フレームと、
上記フレームから外方へ延び、放音の方向を制御するダクトとを有し、
上記ダクトは、筐体に設けた筐体側放音孔に向かって延びている
ことを特徴とする携帯電子機器。
【請求項２】
請求項１記載の携帯電子機器において、
上記フレームは、一端が開口する有底容器形状を有し、
上記フレームの底面には、フレーム側放音孔が形成され、該フレーム側放音孔が上記ダクトに連通し、
上記スピーカは、上記フレームの開口側から、その放音部が上記底面側に対向するように取り付けられ、
上記フレームの開口側が基板に密閉状に取り付けられている
ことを特徴とする携帯電子機器。
【請求項３】
請求項２記載の携帯電子機器において、
上記スピーカからの音漏れを防止するための弾性部材を備え、
上記弾性部材は、上記スピーカの放音部を囲うように該スピーカに輪形状に設けられ、上記フレームの底面に当接している
ことを特徴とする携帯電子機器。
【請求項４】
請求項３に記載の携帯電子機器において、
上記弾性部材は、クッション部材と、該クッション部材の両面に貼り付けられた両面テープとで構成され、該両面テープにより、上記スピーカが上記フレームの底面に取り付けられている
ことを特徴とする携帯電子機器。
【請求項５】
請求項２乃至４のいずれか１つに記載の携帯電子機器において、
上記フレームは、少なくとも１つの隔壁によって仕切られ、該隔壁によって、上記スピーカが位置決めされると共に、遮音されるように構成されている
ことを特徴とする携帯電子機器。
【請求項６】
請求項２乃至５のいずれか１つに記載の携帯電子機器において、
上記筐体側放音孔は、筐体の表面側から隙間を保った状態で装飾用カバーによって覆われている
ことを特徴とする携帯電子機器。
【請求項７】
請求項２乃至６のいずれか１つに記載の携帯電子機器において、
上記スピーカを一対備えている
ことを特徴とする携帯電子機器。
【請求項８】
請求項７に記載の携帯電子機器において、
上記一対のスピーカ間には、カメラが配置されている
ことを特徴とする携帯電子機器。
【請求項９】
請求項７又は８に記載の携帯電子機器において、
上記フレームには、一対のスピーカ収納部が形成され、該スピーカ収納部のそれぞれに上記スピーカが収納され、
上記フレームの近傍には、アンテナが設けられ、
一方のスピーカ収納部に連通するダクトは、上記フレームの底面に対して傾斜して上記筐体側放音孔に向けて延びている
ことを特徴とする携帯電子機器。
【請求項１０】
請求項３に記載の携帯電子機器において、
上記フレームの底面におけるスピーカの弾性部材の輪形状の外側に対応する部分には、棒差込用孔が貫通されている
ことを特徴とする携帯電子機器。
【請求項１１】
携帯通信機器であることを特徴とする請求項１乃至１０のいずれか１つに記載の携帯電子機器。
【請求項１２】
携帯電話機であることを特徴とする請求項１１に記載の携帯電子機器。
【発明の詳細な説明】
【技術分野】
【０００１】
スピーカを搭載した携帯電子機器に関し、特にそのスピーカの配置構造に関する。
【背景技術】
【０００２】
携帯電子機器、特に携帯電話機は、今や人口の９割が保有するに至り、機能においても急速に発展、進歩の途上にある中、やはり携帯するには軽量、コンパクト化が求められる。
【０００３】
例えば、特許文献１では、キー入力装置とスピーカとが互いに接近して配置された携帯電話機などの携帯通信端末機において、キー入力装置とスピーカとを一部厚み方向に重複させ、フレームのスピーカ設置面とスピーカの放音面との間に隙間を設けて音響特性を維持しながら、キー入力装置とスピーカとの設置面積を縮小させて機器全体の小型化を実現することが開示されている。
【０００４】
また、例えば、特許文献２では、一対のスピーカを備えた携帯通信端末機において、２つのスピーカが、ステレオ効果を高めるためにできるだけ距離をおいて配置されている。両スピーカの間に生じたデッドスペースに振動ユニットを設置し、キャビネット内のスペースの有効活用を図っている。
【特許文献１】特開２００４−２６６６８８号公報
【特許文献２】特開２００５−２４４７８４号公報
【発明の開示】
【発明が解決しようとする課題】
【０００５】
しかしながら、特許文献１では、キー入力装置とスピーカとが一部において厚さ方向で重複しているので、筐体の厚みが厚くなるという問題がある。
【０００６】
また、特許文献２のように、２つのスピーカを離れるように配置すると、スピーカのすぐ近くに放音孔を配置した場合、デザイン上不都合が生じる場合がある。
【０００７】
そこで本発明の目的は、厚みを厚くならないようにしながら、筐体表面に設ける放音孔をデザイン上要求される位置に配置できるようにすることを目的とする。
【課題を解決するための手段】
【０００８】
上記の目的を達成するために、本発明の第１の発明では、スピーカを搭載した携帯電子機器を前提とし、
上記スピーカを搭載するための容器状フレームと、
上記フレームから外方へ延び、放音の方向を制御するダクトとを有し、
上記ダクトは、筐体に設けた筐体側放音孔に向かって延びる構成とする。
【０００９】
上記の構成によると、スピーカからの音声をダクトを通して筐体側放音孔から放出することで、スピーカと筐体側放音孔との位置関係の調整が容易になるので、厚みを厚くならないようにしながら、筐体表面に設ける放音孔がデザイン上要求される位置に配置される。
【００１０】
第２の発明では、上記フレームは、一端が開口する有底容器形状を有し、
上記フレームの底面には、フレーム側放音孔が形成され、該フレーム側放音孔が上記ダクトに連通し、
上記スピーカは、上記フレームの開口側から、その放音部が上記底面側に対向するように取り付けられ、
上記フレームの開口側が基板に密閉状に取り付けられる構成とする。
【００１１】
上記の構成によると、スピーカ放音部からの音は、フレーム底面のフレーム側放音孔よりダクトを通って筐体外に放出される。フレームの開口側が基板に密閉されていることから、フレーム側放音孔以外の部分から漏れ出さない。
【００１２】
第３の発明では、上記スピーカからの音漏れを防止するための弾性部材を備え、
上記弾性部材は、上記スピーカの放音部を囲うように該スピーカに輪形状に設けられ、上記フレームの底面に当接している。
【００１３】
上記の構成によると、弾性部材がスピーカ放音孔を輪形状に覆っているので、フレーム底面との間で密閉され、スピーカ放音部からの音声が他の空間に漏れ出すことはない。
【００１４】
第４の発明では、上記弾性部材は、クッション部材と、該クッション部材の両面に貼り付けられた両面テープとで構成され、該両面テープにより、上記スピーカが上記フレームの底面に取り付けられている。
【００１５】
上記の構成によると、クッション部材は遮音効果が高く、また、クッション部材の両面側に両面テープを貼り付けることで、クッション部材のスピーカへの取付が容易になると共に、スピーカが、この両面テープを利用してフレーム底面に取り付けられる。
【００１６】
第５の発明では、上記フレームは、少なくとも１つの隔壁によって仕切られ、該隔壁によって、上記スピーカが位置決めされると共に、遮音されるように構成されている。
【００１７】
上記の構成によると、隔壁によって区切られた空間にスピーカを設ければよく、スピーカの位置出しが容易である。また、隔壁によって、スピーカからの音が遮断される。このため、フレーム側放音孔にのみ音声を放出することが可能になる。
【００１８】
第６の発明では、上記筐体側放音孔は、筐体の表面側から隙間を保った状態で装飾用カバーによって覆われる構成とする。
【００１９】
上記の構成によると、筐体側放音孔が外部から見えないので、見映えがよく、さらに、筐体側放音孔のある側を下にして置いたときでも、筐体側放音孔が塞がれないので、この筐体側放音孔よりスピーカからの音が放出される。
【００２０】
第７の発明では、上記スピーカを一対備えている。
【００２１】
上記の構成によると、一対のスピーカを設けることで、ステレオ音声を出すことができるが、この場合でも、ダクトの延びる方向を調整することで、筐体側放音孔の位置を調整しながら、音声が適切な方向に放出される。
【００２２】
第８の発明では、上記一対のスピーカ間には、カメラが配置されている。
【００２３】
上記の構成によると、ステレオ音声の音響効果を出すために一対のスピーカを互いに離した場合でも、そのデッドスペースをカメラで使用することで携帯電子機器のサイズが小さくなる。
【００２４】
第９の発明では、上記フレームには、一対のスピーカ収納部が形成され、該スピーカ収納部のそれぞれに上記スピーカが収納され、
上記フレームの近傍には、アンテナが設けられ、
一方のスピーカ収納部に連通するダクトは、上記フレームの底面に対して傾斜して上記筐体側放音孔に向けて延びている。
【００２５】
上記の構成によると、アンテナを配置しなければならないような場合にスピーカの位置を動かしても、ダクトの延びる方向を調整することで、容易に筐体側放音孔の位置を調整することができる。
【００２６】
第１０の発明では、上記フレームの底面におけるスピーカの弾性部材の輪形状の外側に対応する部分には、棒差込用孔が貫通されている。
【００２７】
上記の構成によると、フレームの底面裏側から棒差込用孔に棒を差し込むことにより、スピーカがフレーム内から容易に押し出される。棒差込用孔は、弾性部材の輪形状の外側に形成されているので、スピーカからの音をフレーム外に逃すことはない。
【００２８】
第１１の発明では、携帯電子機器を携帯通信機器とする。さらに、第１２の発明では、携帯通信機器は、携帯電話機とする
上記の構成によると、ダクトを延ばしてスピーカからの音を筐体側放音孔から放出させることで部品の配置が容易となり、携帯通信機器、特に携帯電話機の設計が楽になる。
【発明の効果】
【００２９】
本発明によれば、スピーカを搭載した容器状フレームから筐体側放音孔に向かってダクトを延ばし、スピーカからの音を筐体側放音孔から放出させている。このため、スピーカと他の部品の配置的な干渉があってスピーカの位置をずらしたいような場合で、かつデザイン的に要求された放音孔とスピーカ位置とがずれているような場合でも、良好な放音効果を保ち、かつ厚みを厚くならないようにしながら、筐体側放音孔を適切に配置することができる。
【発明を実施するための最良の形態】
【００３０】
以下本発明の実施形態を図面に基づき説明する。
【００３１】
図１は、本発明の実施形態に係る携帯電子機器としての携帯電話機１の開いた状態を右方向から見た斜視図である。図２は、図１の閉じた状態を右方向から見た斜視図である。図３は、図２の裏側から見た斜視図である。
【００３２】
図１乃至図３に示すように、本実施形態の携帯電話機１は、第１の筐体２と、第２の筐体３とを有し、これらがヒンジ部４によって折畳み自在に結合されている。また、第１の筐体２を縦長状態から横長状態に回転するための回転機構５が設けられている。
【００３３】
上記第１の筐体２の表面側には液晶表示部６及び受話部７等が設けられ、裏面側にはサブ表示部１１が設けられている。
【００３４】
上記第２の筐体３の表面側には送話部８、入力ボタン９、機能ボタン１０等が設けられ、裏面側にはアンテナ１２、電池蓋１３、カメラ１４、カメラ切換ボタン１５、装飾用カバー１６等が設けられている。
【００３５】
そして、電話やメールするときには図１のように開いた状態で行い、電話やメールが終われば図２のように閉じた状態で待機し、着信があればサブ表示部１１に着信があったことを知らせる表示が出るようになっている。
【００３６】
また、ＴＶを見たり、メールを横長状態で行いたいときは、図示しないが、第１の筐体２を回転機構５によって横長状態に回転して行うようになっている。
【００３７】
図４は、図３におけるIV-IV線断面図である。図５は、クッション部材３６を貼り付けたスピーカ４１，４２の斜視図である。
【００３８】
図４に示すように、筐体側放音孔１７は、第２の筐体３におけるカメラ１４を挟む左右対称の位置に設けられ、スピーカ４１，４２からの音を放音するようなっている。第２の筐体３における筐体側放音孔１７の配置部分は、表面側から装飾用カバー１６によって覆われ、表面からは見えないようになっている。
【００３９】
図５に示すように、弾性部材としてのクッション部材３６は、スピーカ４１，４２の表面に設けられたスピーカ放音部４３の周囲を輪形状に囲って図示しない両面テープでスピーカ４１，４２に貼り付けられ、音漏れを防ぐようになっている。クッション部材３６のスピーカ４１，４２と反対側（表面側）の面にも、図示しない両面テープが貼り付けられている。スピーカ４１，４２の裏面側には電気信号接続のためのコネクタ４４が設けられている。
【００４０】
図６は、フレーム組品３０を裏側から見た分解斜視図である。図７は、フレーム組品３０を裏側から見た斜視図である。
【００４１】
図６に示すように、スピーカ４１，４２は、一端が開口する有底容器状のフレーム３１に収納されている。フレーム３１は、底面３１ａを周壁３１ｂで囲み、複数の隔壁３４によって仕切られている。この隔壁３４によって、２つのスピーカ収納部３１ｃと、これらのスピーカ収納部３１ｃに挟まれたカメラ収納部３１ｄとに仕切られている。
【００４２】
図７にも示すように、このスピーカ収納部３１ｃの開口側からスピーカ４１，４２が、そのスピーカ放音部４３が底面３１ａに対向するように挿入され、クッション部材３６に貼り付けられた両面テープがフレーム３１の底面３１ａに接着されている。クッション部材３６は、底面３１ａに当接している。カメラ１４もフレーム３１の裏側より挿入され、両面テープ等によりフレーム３１に固定されるようになっている。このように、スピーカ４１，４２及びカメラ１４はフレーム３１の隔壁３４によって仕切られることで、位置の寸法精度を保ちながらフレーム３１に取り付けられている。
【００４３】
図４に示すように、装飾用カバー１６と第２の筐体３表面との間には、放音のために隙間３８が形成されている。装飾用カバー１６は、携帯電話機１を、筐体側放音孔１７を設けた面を下にして置いたときでも、スピーカ４１，４２からの音を良好に出すために筐体側放音孔１７が塞がれないように形成されている。フレーム３１の底面３１ａから、内部に貫通したフレーム側放音孔３３を備えたダクト３２が外方へ延び、このダクト３２の先端が筐体側放音孔１７に挿入されている。フレーム３１の開口側の周壁３１ｂ及び隔壁３４の端部が多数の電子部品（図示せず）を備えた基板３７に当接した状態で、フレーム３１が基板４７に密閉状に取り付けられている。
【００４４】
このように、スピーカ４１，４２からの音は、クッション部材３６や隔壁３４により密閉され、不要な方向へ音漏れせず、フレーム３１に設けたダクト３２のフレーム側放音孔３３を通過し、装飾用カバー１６に当り、隙間３８を通って外部に出るようになっている。
【００４５】
なお、図４において、第２の筐体３の右側にはアンテナ１２が通っており、左のスピーカ４１に比べ右のスピーカ４２は、第２の筐体３の外形に対して少し内側に配置されている。アンテナ１２がスピーカ４２と干渉しているためである。
【００４６】
そのため、右のダクト３２は、底面３１ａに対して外側へ広がるように傾斜して延び、スピーカ放音部４３からの音を外部に出すようになっている。このようにフレーム３１を設けたことでダクト３２の方向を変えることができたが、スピーカ４１，４２を第２の筐体３のコア面（内側）に直接取り付けた場合には、上記のような干渉を避けることができない。
【００４７】
図８は、フレーム組品３０の平面図である。図９は、図８のIX-IX線断面図である。図９においては、カメラ１４は省略している。
【００４８】
図８及び図９に示すように、フレーム３１において、貼り付けられたスピーカ４１，４２が位置する部分に棒差込用孔４０が貫通形成されている。棒差込用孔４０の位置は図５に示すＡの部分、すなわち、クッション部材３６の外側に対応している。これによりスピーカ放音部４３からの音声は棒差込用孔４０から漏れることはない。この棒差込用孔４０は、スピーカ４１，４２を不良その他で交換するときに棒３９によって押し出して取り外すためのものである。
【００４９】
（その他の実施形態）
本発明は、上記実施形態について、以下のような構成としてもよい。
【００５０】
すなわち、上記実施形態では、回転機構５を設けて第１の筐体２を縦長状態から横長状態に回転可能としているが、回転機構５を設けなくてもよい。また、ヒンジ部４を設けて第１の筐体２と第２の筐体３とを折畳み自在に結合しているが、ストレートタイプの携帯電話機であってもよい。
【００５１】
上記実施形態では、表示部として液晶表示部６の例を示したが、有機ＥＬディスプレイを有する表示部としてもよい。
【００５２】
上記実施形態では、携帯電子機器は、携帯電話機としたが、ＰＣ、モバイルツール、電子辞書、電卓、複写機等の携帯電子機器でもよい。
【００５３】
なお、以上の実施形態は、本質的に好ましい例示であって、本発明、その適用物や用途の範囲を制限することを意図するものではない。
【産業上の利用可能性】
【００５４】
以上説明したように、本発明は、携帯電話機などのスピーカを有する携帯電子機器について有用である。
【図面の簡単な説明】
【００５５】
【図１】本発明の実施形態に係る携帯電話機の開いた状態を右方向から見た斜視図である。
【図２】図１の閉じた状態を右方向から見た斜視図である。
【図３】図２の裏側から見た斜視図である。
【図４】図３におけるIV-IV線断面図である。
【図５】クッションを貼り付けたスピーカの斜視図である。
【図６】フレーム組品の分解斜視図である。
【図７】フレーム組品の斜視図である。
【図８】フレーム組品を示す平面図である。
【図９】図８のIX-IX線断面図である。
【符号の説明】
【００５６】
１      携帯電話機（携帯通信機器、携帯電子機器）
３      第２の筐体（筐体）
１４      カメラ
１６      装飾用カバー
１７      筐体側放音孔
３１      フレーム
３１ａ    底面
３１ｃ    スピーカ収納部
３２      ダクト
３３      フレーム側放音孔
３４      隔壁
３６      クッション部材（弾性部材）
３７      基板
４０      棒差込用孔
４１，４２      スピーカ
４３      スピーカ放音部
【図１】
2007201789.tif 000003
【図２】
2007201789.tif 000004
【図３】
2007201789.tif 000005
【図４】
2007201789.tif 000006
【図５】
2007201789.tif 000007
【図６】
2007201789.tif 000008
【図７】
2007201789.tif 000009
【図８】
2007201789.tif 000010
【図９】
2007201789.tif 000011